(57)【要約】【課題】耐有機溶剤性が高く、しかも、簡易に製造することができ、さらに、紫外分光測定を行うことができる生化学用容器を提供する。【解決手段】複数の凹部１２を並設してある紫外線透過性の合成樹脂容器本体１０のうちの、少なくとも前記複数の凹部１２の内面側を、二酸化ケイ素膜１１で被覆してある。【選択図】　　　　図１
2004109107.tif 000002
【特許請求の範囲】
【請求項１】
複数の凹部を並設してある紫外線透過性の合成樹脂容器本体のうちの、少なくとも前記複数の凹部の内面側を、二酸化ケイ素膜で被覆してある生化学用容器。
【請求項２】
前記二酸化ケイ素膜が、液相法により形成されたものである請求項１記載の生化学用容器。
【請求項３】
紫外線透過性のガラス基板上に、無機接着材を介して、無機材料からなる筒状体を複数、立設させてある生化学用容器。
【請求項４】
紫外線透過性のガラス基板上に、その厚み方向に貫通する貫通孔を複数備える無機材料からなる板状体を、無機接着材を介して、接合してある生化学用容器。
【請求項５】
前記板状体と前記ガラス基板との相互の接合面部のいずれか少なくとも一方に、前記貫通孔を囲む凹入部を形成してある請求項４記載の生化学用容器。
【請求項６】
前記無機接着材が、低融点ガラス若しくは金属ハンダである請求項３または４記載の生化学用容器。
【請求項７】
底面が扁平面である穴部を複数並設してある紫外線透過性ガラス成型品にてなる生化学用容器。
【請求項８】
前記穴部が、その上面側から底面側にかけて次第に窄まる形状である請求項７記載の生化学用容器。
【請求項９】
厚み方向に貫通する複数の貫通孔を板状基材に形成して、前記貫通孔の各々に紫外線透過性のガラス容器を入り込ませ、そのガラス容器の外周面を前記貫通孔の内周面に密接させて固定してある生化学用容器。
【発明の詳細な説明】
【０００１】
【発明の属する技術分野】
本発明は、生化学用容器に関する。
【０００２】
【従来の技術】
この種の生化学用容器は、ＤＮＡの分析や培養等によく用いられるものであるが、この種の分野では非常に多数の試料について分析や培養等を行う必要がある。このため、一つの容器で複数種の試料の分析や培養等を行うことができるように、試料を入れる収容部を複数有する形状にしてある生化学用容器（例えばマイクロプレート等）が一般に用いられている。
そして、ＤＮＡの場合、その二重らせん構造の最も外側にリン酸が存在し、水分子と大変親和性が大きいので、試料としては水溶液のものがよく用いられることから、この種の生化学用容器は耐水性を備えていればよく、安価な合成樹脂（例えば、ポリスチレン樹脂等）製のものが一般的に用いられている（例えば、特許文献１参照）　。
【０００３】
【特許文献１】
特開平１０−７８３８８号公報
【０００４】
【発明が解決しようとする課題】
ところで、最近、ＤＮＡの反応場として逆ミセルを利用し、逆ミセルの特異環境中でＤＮＡのハイブリダイゼーション挙動を紫外分光測定により観察する遺伝子解析方法が提案されており（例えば、特開平１４−１７１９８８号公報等参照）、この提案されている遺伝子解析方法によれば、より容易に遺伝子解析を行うことができるようになることから、非常に注目されている。
しかし、この遺伝子解析方法ではＤＮＡの反応場として逆ミセルを用いるので、試料が水溶液ではなく有機溶剤（例えばイソオクタン等）となる。
すると、これまで用いられているポリスチレン樹脂等の合成樹脂製の生化学用容器では、有機溶剤により溶解してしまい易いことから、繰り返し使用できないなどの問題が生じるため、最近、耐有機溶剤性の高い生化学用容器の必要性が高まってきている。
一方、耐有機溶剤性が高く、上述のような紫外分光測定を行うこともできる生化学用容器として、例えば、単に石英製のものを採用することも考えられるが、石英は非常に加工が困難であり、この種の生化学用容器としては、複数種の試料の測定を同時に行うことができる形状のものが必要であることから、あまり現実的ではない。
本発明は、上記実情に鑑みてなされたものであって、その目的は、耐有機溶剤性が高く、しかも、簡易に製造することができ、さらに、紫外分光測定を行うことができる生化学用容器を提供するところにある。
【０００５】
【課題を解決するための手段】
請求項１記載の発明の特徴構成は、複数の凹部を並設してある紫外線透過性の合成樹脂容器本体のうちの、少なくとも前記複数の凹部の内面側を、二酸化ケイ素膜で被覆してあるところにある。
【０００６】
〔作用効果〕
凹部の内面側は耐有機溶剤性の高い二酸化ケイ素膜で被覆されているので、当該部分（試料収容部分と称する）に、例えば有機溶剤からなる試料を収容することで、溶解したりすることなく繰り返し使用することが可能となる。しかも、複数の凹部を並設してある合成樹脂容器本体は、紫外線透過性の合成樹脂から容易に製造することができ、その凹部の内面側を二酸化ケイ素膜で任意の方法により被覆すればよいので、本特徴構成を備える生化学用容器を容易に製造することができる。さらに、この合成樹脂容器本体および二酸化ケイ素膜は、紫外線透過性がよいので、前記試料収容部分内の試料について、紫外線分光測定を好適に行うことができる。
従って、耐有機溶剤性が高く、しかも、簡易に製造することができ、さらに、紫外分光測定を行うことができる生化学用容器を提供できる。
【０００７】
請求項２記載の発明の特徴構成は、上記請求項１記載の発明の特徴構成に加えて、前記二酸化ケイ素膜が、液相法により形成されたものであるところにある。
【０００８】
〔作用効果〕
液相法により形成された二酸化ケイ素膜であれば、簡易に、前記複数の凹部の内面側に均一な厚みで被覆させることができるので、殊に、紫外分光測定等による分光測定を精度よく行うことができるようになり、有利である。
【０００９】
請求項３記載の発明の特徴構成は、紫外線透過性のガラス基板上に、無機接着材を介して、無機材料からなる筒状体を複数、立設させてあるところにある。
【００１０】
〔作用効果〕
前記ガラス基板上に無機接着材を介して無機材料からなる筒状体を複数立設させればよいので、簡易に製造できる。しかも、その立設させる各筒状体とガラス基板とで囲まれる空間内に、例えば有機溶剤からなる試料を収容すれば、複数の試料を混合することなく収容できると共に、溶解したりすることなく繰り返し使用できる。さらに、かかるガラス基板は紫外線透過性のものであるので、各筒状体とガラス基板とで囲まれる空間内に収容される試料について、紫外分光測定を行うことができる。
従って、耐有機溶剤性が高く、しかも、簡易に製造することができ、さらに、紫外分光測定を行うことができる生化学用容器を提供できる。
また、前記ガラス基板はその上面および下面は扁平面であるので、そのガラス基板に対し垂直方向から分光測定に用いる可視光や紫外光やＸ線を入射させたときに、精度よく分光測定を行うことができ、有利であり、例えばマイクロプレートリーダの測定プレートとして好適に用いることができる。
【００１１】
請求項４記載の発明の特徴構成は、紫外線透過性のガラス基板上に、その厚み方向に貫通する貫通孔を複数備える無機材料からなる板状体を、無機接着材を介して、接合してあるところにある。
【００１２】
〔作用効果〕
前記ガラス基板上に無機接着材を介して無機材料からなる板状体を接合させればよいので、簡易に製造できる。しかも、その接合される板状体は、その厚み方向に貫通する貫通孔を複数備えるので、その複数の貫通孔とガラス基板とで囲まれる空間内に、例えば有機溶剤からなる試料を収容すれば、複数の試料を混合することなく収容できると共に、溶解したりすることなく繰り返し使用できる。さらに、かかるガラス基板は紫外線透過性のものであるので、各貫通孔とガラス基板とで囲まれる空間内に収容される試料について、紫外分光測定を行うことができる。
従って、耐有機溶剤性が高く、しかも、簡易に製造することができ、さらに、紫外分光測定を行うことができる生化学用容器を提供できる。
また、前記ガラス基板はその上面および下面は扁平面であるので、そのガラス基板に対し垂直方向から分光測定に用いる可視光や紫外光やＸ線を入射させたときに、精度よく分光測定を行うことができ、有利であり、例えばマイクロプレートリーダの測定プレートとして好適に用いることができる。
【００１３】
請求項５記載の発明の特徴構成は、上記請求項４記載の発明の特徴構成に加えて、前記板状体と前記ガラス基板との相互の接合面部のいずれか少なくとも一方に、前記貫通孔を囲む凹入部を形成してあるところにある。
【００１４】
〔作用効果〕
ガラス基板上に無機材料からなる板状体を接合してある生化学用容器は、樹脂製の生化学用容器に比べて重量が重くて取り扱いにくく、作業性に欠ける欠点があるが、板状体とガラス基板との相互の接合面部のいずれか少なくとも一方に、貫通孔を囲む凹入部を形成してあるので、軽量化を図ることができ、耐有機溶剤性が高くて、簡易に製造することもでき、さらに、紫外分光測定を行うことができる生化学用容器でありながら、マイクロプレートリーダ等の自動測定装置による取り扱いが容易で作業性を向上させることができる。
【００１５】
請求項６記載の発明の特徴構成は、上記請求項３または４記載の発明の特徴構成に加えて、前記無機接着材が、低融点ガラス若しくは金属ハンダであるところにある。
【００１６】
〔作用効果〕
低融点ガラスや金属ハンダは、耐有機溶剤性が高いので、例えば有機溶剤の試料であっても溶解することなく、繰り返し使用しても、確実に複数の試料を混ざることなく収容することができ、好適である。
【００１７】
請求項７記載の発明の特徴構成は、底面が扁平面である穴部を複数並設してある紫外線透過性ガラス成型品にてなるところにある。
【００１８】
〔作用効果〕
このような紫外線透過性ガラス成型品であれば、紫外線透過性ガラスを溶融状態や軟化させた状態で、所定の型に注入し、底面が扁平面である穴部を複数並設された形状に加工すればよいので、簡易に製造できる。しかも、紫外線透過性ガラス製であるので、その穴部に、例えば有機溶剤の試料を入れても溶解することがなく、さらに、紫外分光測定を好適に行うことができる。また、この複数の穴部は、底面が扁平面であるので、その底面に対し垂直方向から分光測定に用いる可視光や紫外光やＸ線を入射させたときに、精度よく分光測定を行うことができ、有利であり、例えばマイクロプレートリーダの測定プレートとして好適に用いることができる。
【００１９】
請求項８記載の発明の特徴構成は、上記請求項７記載の発明の特徴構成に加えて、前記穴部が、その上面側から底面側にかけて次第に窄まる形状であるところにある。
【００２０】
〔作用効果〕
穴部は、その上面側から底面側にかけて次第に窄まる形状であるので、洗浄し易く、繰り返し使用するのに好適であると共に、成型し易く好ましい。
【００２１】
請求項９記載の発明の特徴構成は、厚み方向に貫通する複数の貫通孔を板状基材に形成して、前記貫通孔の各々に紫外線透過性のガラス容器を入り込ませ、そのガラス容器の外周面を前記貫通孔の内周面に密接させて固定してあるところにある。
【００２２】
〔作用効果〕
複数の貫通孔を板状基材に形成して、貫通孔の各々に紫外線透過性のガラス容器を入り込ませ、そのガラス容器の外周面を貫通孔の内周面に密接させて固定してあるので、ガラス容器に、例えば有機溶剤からなる試料を収容することで、溶解したりすることなく繰り返し使用することが可能となる。しかも、板状基材に形成した貫通孔に紫外線透過性のガラス容器を入り込ませて、そのガラス容器の底部を下面側に臨ませてあるので、板状基材の材質を特に限定することなく紫外線透過性を確保でき、本特徴構成を備える生化学用容器を容易に製造することができるとともに、ガラス容器内の試料について、紫外線分光測定を好適に行うことができる。
従って、耐有機溶剤性が高く、しかも、簡易に製造することができ、さらに、紫外分光測定を行うことができる生化学用容器を提供できる。
【発明の実施の形態】
以下に本発明の実施の形態を図面に基づいて説明する。
【００２３】
〔第１実施形態〕
図１（イ），（ロ）に本発明の第１実施形態の一例を示す。図１（イ）は、生化学用容器の全体を示す斜視図であり、図１（ロ）は、その部分拡大断面図である。
【００２４】
図１に示すように、この生化学用容器は、一例として、合成樹脂容器本体１０の外側を二酸化ケイ素膜１１で被覆して形成されている。
この合成樹脂容器本体１０は、ここでは多数の凹部１２と壁部１３とから全体形状がほぼ矩形状に構成されている。そして、図に示すように、前記凹部１２は、鉛直方向に沿う円筒状のものが多数並設されており、前記壁部１３によりそれら多数の凹部１２どうしが隔てられている。
そして、前記二酸化ケイ素膜１１により、このように構成される合成樹脂容器本体１０の外側が全面にわたって、被覆されている。
このようにして、この生化学用容器では、凹部１２の内面側を二酸化ケイ素膜１１により被覆してなるセルｓが多数形成されており、そのセルｓに複数の試料を互いに混ざることなく収容して、例えばＤＮＡの各種分析や培養を行うことができる。尚、ここでは一例としてセルｓは、８×１２で９６ヶ形成されている。
【００２５】
次に、このような生化学用容器の一製造方法について簡単に説明する。
【００２６】
まず、合成樹脂容器本体１０は、ポリスチレン樹脂等の各種紫外線透過性の合成樹脂から、任意の方法により、凹部１２が多数並設された形状に形成する。
【００２７】
そして、次に、ＵＶ照射処理により合成樹脂容器本体の表面改質を行って、次のような液相法にて、その外側に二酸化ケイ素膜を形成する。
【００２８】
下式（１）に示すような、珪弗化水素酸水溶液と、弗酸およびシリカゲルとが平衡状態にあるＳｉＯ２　飽和水溶液を準備する。
Ｈ２　ＳｉＦ６　＋２Ｈ２　Ｏ　⇔　６ＨＦ＋ＳｉＯ２　　　　式（１）
【００２９】
そして、このＳｉＯ２　飽和水溶液に反応促進剤を添加し、ＳｉＯ２　過飽和水溶液とする。この反応促進剤は、上式（１）の反応の平衡状態を右側に移行させるものであればよく、例えば、水又は、ＨＦと反応するもの（アルミニウム等）を用いればよい。尚、一例として、アルミニウムを添加したときの反応を、下式（２）に示す。
６ＨＦ＋Ａｌ　⇔　Ｈ３　ＡｌＦ６　＋３／２Ｈ２　　　　式（２）
【００３０】
次に、ＳｉＯ２　過飽和水溶液中に、合成樹脂容器本体を浸漬させて、その合成樹脂容器本体の表面に二酸化ケイ素（ＳｉＯ２　）膜を析出させる。例えば、１時間浸漬させることで、２００ｎｍの二酸化ケイ素膜を被覆させることができる。
【００３１】
このような液相法によれば、凹部を多数有する複雑な形状の合成樹脂容器本体１０であっても、比較的均一な厚みの二酸化ケイ素膜を簡易に設けることができ、有利である。
【００３２】
尚、一度に所定厚の二酸化ケイ素膜を形成するよりも、複数回浸漬を繰り返すことで所定厚の二酸化ケイ素膜を形成する方が、試料として有機溶媒を用いるときに、ピンホールからの有機溶媒の浸透を防止でき、好ましい。
また、生化学用容器を紫外分光測定に用いるときには、紫外線の干渉を避け精度よく測定を行うことから、二酸化ケイ素膜の厚みは１５０ｎｍ以上若しくは１００ｎｍ以下であるのが好ましく、さらに、１００ｎｍ以下であれば、全体に均一な厚みになり易く、一層精度よく測定を行うことができ、より好ましい。
【００３３】
尚、ここでは、凹部１２を多数設けてあるものを例示したが、凹部１２は複数設けてあればよく、また、その形状は円筒状に限らず、角柱状や円錐状や角錐状等任意の形状に形成すればよい。そして、二酸化ケイ素膜１１は、少なくとも凹部１２の内面側に被覆させてあればよく、そして、その形成方法は、上述のような液相法に限らず、ＣＶＤ法やＰＶＤ法により形成しても勿論よい。
【００３４】
〔第２実施形態〕
図２（イ），（ロ）に本発明の第２実施形態の一例を示す。図２（イ）は、生化学用容器の全体を示す斜視図であり、図２（ロ）は、その部分拡大断面図である。
【００３５】
図２に示すように、この生化学用容器は、方形状のガラス基板２１上に、無機接着材２２を介して、筒状体２３を多数立設させて構成してあり、ガラス基板２１と筒状体２３とで囲まれる空間にてセルｓが多数形成されており、そのセルｓに複数の試料を互いに混ざることなく収容して、例えばＤＮＡの各種分析や培養を行うことができる。尚、ここでは一例としてセルｓは、８×１２で９６ヶ形成されている。
【００３６】
前記ガラス基板２１は、例えば、紫外線透過ガラス（フィリップス社製ＰＨ１６０）を円筒から切り開き熱を加えて平板にした後、透明になるまで研磨したものを用いることができ、このときには、２３０ｎｍ〜３００ｎｍの紫外線の透過率が８５％以上と非常に高く、好適である。尚、ガラス基板２１は、紫外線透過性のガラスであればよく、８０％以上の高い紫外線透過率を有する天然石英ガラスや、合成石英ガラスや、ホウケイ酸ガラスなどを用いてもよい。
【００３７】
前記筒状体２３は、例えばソーダライムガラス等の各種ガラスや、各種セラミックや、各種金属などの無機材料から筒状に形成されるものである。
【００３８】
そして、前記無機接着材２３は、筒状体２３をガラス基板２１上に接着するものであり、例えば、低融点ガラスや金属ハンダを用いれば、セルｓに有機溶剤を収容しても溶けたりすることなく、好適である。
【００３９】
尚、ここでは、図２（イ）に示すように、一例として、ガラス基板２１の外周部にソーダライムガラスからなる外枠体２４を溶着させてあり、試料の外部への流出を防止できる。
【００４０】
〔第３実施形態〕
図３（イ），（ロ）に本発明の第３実施形態の一例を示す。図３（イ）は、生化学用容器の全体を示す斜視図であり、図３（ロ）は、その部分拡大断面図である。
【００４１】
図３に示すように、この生化学用容器は、方形状のガラス基板２１上に、板状体２６を無機接着材２２により接合して構成してあり、その板状体２６の厚み方向に貫通する貫通孔２７とガラス基板２１とで囲まれる空間にてセルｓが多数形成されており、そのセルｓに複数の試料を互いに混ざることなく収容して、例えばＤＮＡの各種分析や培養を行うことができる。
【００４２】
前記板状体２６は、例えばソーダライムガラス等の各種ガラスや、各種セラミックや、各種金属などの無機材料から、厚み方向に貫通する貫通孔２７を多数形成してあるものであり、ここでは、前記ガラス基板２１と平面視でほぼ同寸法に構成してある。
【００４３】
その他は、第２実施形態と同様である。
【００４４】
〔第４実施形態〕
図４（イ），（ロ）は、第３実施形態の変形例を示し、図４（イ）は、生化学用容器の全体を示す斜視図であり、図４（ロ）は、その部分拡大断面図である。
【００４５】
図４に示すように、下面側ほど次第に窄まる、つまり、下面側ほど小径の円錐台形状の多数の貫通孔２７を形成してある板状体２６を使用して、その板状体２６の下面側を、方形状のガラス基板２１上に、無機接着材２２により接合して構成してあり、板状体２６の貫通孔２７とガラス基板２１とで囲まれる空間にて上面側ほど大径のセルｓが多数形成されているので、セルｓの内面を洗浄し易く、繰り返し使用する上で好適であると共に、多数の貫通孔２７を形成してある板状体２６を成形し易い。
尚、前記板状体２６の材質は、セルｓ内に有機溶剤を含む溶液を収容する場合は、前述の実施形態と同様、各種ガラスや各種セラミックス，各種金属等の無機材料が良く、一般的な水溶液の場合は、合成樹脂材であっても良い。
その他は、第３実施形態と同様である。
【００４６】
〔第５実施形態〕
図５（イ），（ロ）は、第４実施形態の変形例を示し、図４（イ）は、生化学用容器の全体を示す斜視図であり、図４（ロ）は、その部分拡大断面図である。
【００４７】
図５に示すように、本実施形態では、生化学用容器の軽量化を図ることができるように、板状体２６とガラス基板２１との相互の接合面部２８の板状体２６側に、貫通孔２７を囲む接合面２９を隔てて、その貫通孔２７を囲む凹入部３２を形成して中空部３３を設けてある例を示す。
【００４８】
尚、図示しないが、板状体２６とガラス基板２１との相互の接合面部２８のガラス基板２１側に、貫通孔２７を囲む接合面２９を隔てて、その貫通孔２７を囲む凹入部３２を形成して中空部３３を設けてあっても、板状体２６とガラス基板２１との相互の接合面部２８の板状体２６側とガラス基板２１側との双方に、貫通孔２７を囲む接合面２９を隔てて、その貫通孔２７を囲む凹入部３２を形成して中空部３３を設けてあっても良い。
また、板状体２６に形成する貫通孔２７は、下面側ほど次第に窄まる形状のものに限らず、全長に亘って略同径の円筒形状に形成してあっても良い。
その他は、第３実施形態と同様である。
【００４９】
〔第６実施形態〕
図６（イ），（ロ）に本発明の第６実施形態の一例を示す。図６（イ）は、生化学用容器の全体を示す斜視図であり、図６（ロ）は、その部分拡大断面図である。
【００５０】
図６に示すように、この生化学用容器は、穴部３１を多数並設してある紫外線透過性ガラス成型品３０にてなり、この穴部３１がセルｓに相当し、そのセルｓに複数の試料を互いに混ざることなく収容して、例えばＤＮＡの各種分析や培養を行うことができる。尚、ここでは一例としてセルｓは、８×１２で９６ヶ形成されている。
【００５１】
前記紫外線透過性ガラス成型品３０は、紫外線透過性ガラス（例えば、天然石英ガラスや、合成石英ガラスや、ホウケイ酸ガラスなど）を溶融状態や軟化した状態とし、各種型成形により、多数の穴部３１が並設された形状に形成されている。尚、図に示すように、この紫外線透過性ガラス成型品３０の底面３０ａは、研磨処理でより平滑な扁平面にしてあると、その底面３０ａに対し垂直方向から分光測定に用いる可視光や紫外光やＸ線を入射させたときに、精度よく分光測定を行うことができ、有利である。
【００５２】
また、前記穴部３１は、図に示すように、その底面３１ａが研磨処理でより平滑な扁平面に形成されており、その底面３１ａに対し垂直方向から分光測定に用いる可視光や紫外光やＸ線を入射させたときに、精度よく分光測定を行うことができ、有利である。
【００５３】
尚、この穴部３１は、図に示すように、その上面側から底面側にかけて次第に窄まる形状であれば、簡易に洗浄でき、好適に繰り返し使用することができると共に、成型し易く好ましい。
【００５４】
〔第７実施形態〕
図７（イ），（ロ）に本発明の第７実施形態の一例を示す。図７（イ）は、生化学用容器の全体を示す斜視図であり、図７（ロ）は、その部分拡大断面図である。
【００５５】
図７に示すように、この生化学用容器は、厚み方向に貫通する複数の貫通孔２７を板状基材３４に形成して、それらの貫通孔２７の各々に紫外線透過性のガラス容器３５を入り込ませ、そのガラス容器３５の周壁外周面を貫通孔２７の内周面に密接させて固定して、そのガラス容器３５で構成されるセルｓに複数の試料を互いに混ざることなく収容して、例えばＤＮＡの各種分析や培養を行うことができるようにしてある。
【００５６】
前記板状基材３４は、例えば、ポリスチレン樹脂などの樹脂材料、或いは、ソーダライムガラス等の各種ガラスや、各種セラミック，各種金属などの無機材料で全体形状がほぼ矩形状に形成して、下面側ほど次第に窄まる、つまり、下面側ほど小径の円錐台形状の貫通孔２７を縦横に並設してあり、各貫通孔２７に、８０％以上の高い紫外線透過率を有する天然石英ガラスや、合成石英ガラス，ホウケイ酸ガラスなどの紫外線透過性のガラスで形成した底面側ほど先窄まり、つまり、底面側ほど小径の円錐台形状の紫外線透過性のガラス容器３５を固定してある。
【００５７】
前記生化学用容器の製造方法を説明すると、加熱軟化させた紫外線透過性のガラス板をバキューム成形法などにより、図８に示すように、多数のガラス容器３５が一側側に一体形成されたガラス容器成形体３６に成形し、このガラス容器成形体３６を各ガラス容器３５が各貫通孔２７に入り込むように板状基材３４に重ね合わせて、無機或いは有機接着材２２により接合して構成してある。
【００５８】
本実施形態においても、上面側ほど大径のセルｓが多数形成されているので、セルｓの内面を洗浄し易く、繰り返し使用する上で好適である。
【００５９】
〔第８実施形態〕
図９は第７実施形態の変形例を示し、各種セラミック，各種金属などの無機材料で全体形状がほぼ矩形状に形成してあるとともに、下面側ほど次第に窄まる、つまり、下面側ほど小径の円錐台形状の貫通孔２７を縦横に並設してある板状基材３４に、加熱軟化させた紫外線透過性のガラス板３７を、バキューム成形法などにより、貫通孔２７の各々に入り込むように密着させて、板状基材３４の一側面と貫通孔２７の内周面とに亘って一体に焼き付けることにより、貫通孔２７の各々に紫外線透過性のガラス容器３５を入り込ませて、そのガラス容器３５の外周面を貫通孔２７の内周面に密接させて固定してある。
その他は、第６実施形態と同様である。
【００６０】
〔第９実施形態〕
図１０は第７実施形態又は第８実施形態の変形例を示し、生化学用容器の軽量化を図ることができるように、板状基材３４を薄肉の板材で形成して、筒状壁部３８の内側に貫通孔２７を形成してある。
その他は、第６実施形態又は第７実施形態と同様である。
【００６１】
〔別実施形態〕
以下に他の実施形態を説明する。
〈１〉　以上の実施形態では、セルｓが多数形成され、外形がいわゆるプレート状の生化学用容器を一例として例示したにすぎず、セルｓは複数以上形成してあればよく、その外形はプレート状のものに限るものではない。
〈２〉　また、これまで説明したような本発明に係る生化学用容器は、その底面やセルｓの底面が扁平面であるので、殊に、マイクロプレートリーダーのような、その生化学用容器の底面側に対して垂直方向に分光測定用の可視光や紫外光やＸ線を入射させてその透過光を測定するときに、精度よく測定を行うことができ有利である。
因みに、生化学用容器の底面からセルｓの底面までの厚みを、２ｍｍ，１．７ｍｍ，１．５ｍｍ，１．３ｍｍと変えることで、２３０ｎｍ〜３００ｎｍの透過率を、５８％，６５％，７０％，７５％と変えて、マイクロプレートリーダによりにより紫外分光測定を行ったところ、正確な測定を行うには、前記透過率が７０％以上必要であった。
〈３〉　尚、本発明に係る生化学用容器は、有機溶剤の試料に限らず、水溶液等各種液体試料をセルｓに収容することができる。
〈４〉　また、本明細書において、分光測定とは、紫外光・可視光・蛍光・Ｘ線等の透過光や反射光を利用する測定を意味する。
〈５〉　請求項９記載の本発明に係る生化学用容器は、各別に成形した紫外線透過性のガラス容器３５を貫通孔２７の各々に入り込ませて、そのガラス容器３５の外周面を貫通孔２７の内周面に密接させて接着により固定してあっても良い。
【図面の簡単な説明】
【図１】本発明に係る生化学用容器の第１実施形態の説明図
（イ）全体形状を示す斜視図、（ロ）部分拡大断面図
【図２】本発明に係る生化学用容器の第２実施形態の説明図（イ）全体形状を示す斜視図、（ロ）部分拡大断面図
【図３】本発明に係る生化学用容器の第３実施形態の説明図（イ）全体形状を示す斜視図、（ロ）部分拡大断面図
【図４】本発明に係る生化学用容器の第４実施形態の説明図（イ）全体形状を示す斜視図、（ロ）部分拡大断面図
【図５】本発明に係る生化学用容器の第５実施形態の説明図（イ）全体形状を示す一部破断斜視図、（ロ）部分拡大断面図
【図６】本発明に係る生化学用容器の第６実施形態の説明図（イ）全体形状を示す一部破断斜視図、（ロ）部分拡大断面図
【図７】本発明に係る生化学用容器の第７実施形態の説明図（イ）全体形状を示す一部破断斜視図、（ロ）部分拡大断面図
【図８】製造方法を説明する斜視図
【図９】本発明に係る第８実施形態の生化学用容器の製造方法を説明する部分拡大断面図
【図１０】本発明に係る生化学用容器の第９実施形態を説明する部分拡大断面図
【符号の説明】
１０　　合成樹脂容器本体
１１　　二酸化ケイ素膜
１２　　凹部
２１　　ガラス基板
２２　　無機接着材
２３　　筒状体
２６　　板状体
２７　　貫通孔
２８　　接合面部
３０　　紫外線透過性ガラス成型品
３１　　穴部
３１ａ　穴部の底面
３２　　凹入部
３４　　板状基材
３５　　ガラス容器
【図１】
2004109107.tif 000003
【図２】
2004109107.tif 000004
【図３】
2004109107.tif 000005
【図４】
2004109107.tif 000006
【図５】
2004109107.tif 000007
【図６】
2004109107.tif 000008
【図７】
2004109107.tif 000009
【図８】
2004109107.tif 000010
【図９】
2004109107.tif 000011
【図１０】
2004109107.tif 000012